(57)【要約】【課題】フロアキャビネット７のカウンター上に放置した汚れた食器等、見苦しいものを、簡単な手段で目隠しできるキッチンキャビネットを提供する。【解決手段】吊り戸棚６と、フロアキャビネット７と、目隠しボード１とからなり、該吊り戸棚６下面の手前側にはレール部材３が吊設され、上記目隠しボード１の裏面上部には、このレール部材３に掛合する掛合手段２が備えられ、上記フロアキャビネット７のカウンター手前側には、上記目隠しボード１の下端を係止する係止手段４が設けられるとともに、上記目隠しボード１は、左右にスライド自在とされる。【選択図】図２
2004254715.tif 000002
【特許請求の範囲】
【請求項１】
吊り戸棚と、フロアキャビネットと、目隠しボードとからなり、該吊り戸棚下面の手前側にはレール部材が設けられ、上記目隠しボードの裏面上部には、このレール部材に掛合する掛合手段が備えられ、上記フロアキャビネットのカウンター手前側には、上記目隠しボードの下端を係止する係止手段が設けられるとともに、上記目隠しボードは、左右にスライド自在とされたことを特徴とするキッチンキャビネット。
【請求項２】
上記目隠しボードは、上記掛合手段を介してレール部材に支持されるとともに、取り外し自在とされた請求項１に記載のキッチンキャビネット。
【請求項３】
上記係止手段が、カウンター上に延設された突起部である請求項１に記載のキッチンキャビネット。
【請求項４】
上記目隠しボードがコルクボードからなる請求項１に記載のキッチンキャビネット。
【請求項５】
上記目隠しボードを複数とするとともに、各々の目隠しボードについて、レール部材と係止手段とが設けられた請求項１に記載のキッチンキャビネット。
【発明の詳細な説明】
【０００１】
【発明の属する技術分野】
本発明は、キッチンキャビネットに関する。さらに詳しくは、カウンター上に放置された使用後の食器等、見苦しいものを目隠しするためのボードを備えたキッチンキャビネットに関する。
【０００２】
【従来の技術】
近年、対面式のキッチンユニットが普及するにつれて、キッチンとダイニングルームをスライド可能に仕切るスライド部材が提案されている（特許文献１、２参照。）。また、バックガードに、着脱自在かつ、スライド可能にラックを取付けたキッチンキャビネット（特許文献３参照）や、上収納キャビネットの下面側の前面と後面に、カウンターを目隠しするように、ロールドアを取付けたキャビネット構造も知られている（特許文献４参照。）。
【０００３】
【特許文献１】
特開平６−３４３５２１号公報（第１−４頁、第１図）
【特許文献２】
特開平１１−２１６０２９号公報（第１−３頁、第１図、第２図）
【特許文献３】
特開２００１−２６９２３２号公報（第１−３頁、第１図）
【特許文献４】
特開平９−５６４９８号公報（第１−３頁、第１図、第３図、第４図）
【０００４】
【発明が解決しようとする課題】
家庭用キッチンには、通常、本願の図５に示すような、壁面Ｗに設けられた吊り戸棚６とフロアキャビネット７とからなるキッチンキャビネットが使用されており、吊り戸棚６とフロアキャビネット７の間の空間は、オープンとなっている。そのため、カウンター上に、使用後の汚れた食器や、調理器具等が散乱していると、不意の来客がある場合、慌てて片付けなくてはならない。また、来客時のみならず、通常の場合でも、汚れた食器、調理器具や、鍋、釜等が置いたままになっていると体裁が悪く、家人に不快感を与える。本発明は、このような問題を解決し、フロアキャビネット７のカウンター上に放置された上記、種々の見苦しいものを、簡単な手段で目隠しすることのできるキッチンキャビネットを提供することをその課題とする。
【０００５】
【課題を解決するための手段】
本発明においては、上記課題を解決するために、つぎのような技術的手段を講じている。すなわち、本発明によれば、吊り戸棚と、フロアキャビネットと、目隠しボードとからなり、該吊り戸棚下面の手前側にはレール部材が設けられ、上記目隠しボードの裏面上部には、このレール部材に掛合する掛合手段が備えられ、上記フロアキャビネットのカウンター手前側には、上記目隠しボードの下端を係止する係止手段が設けられるとともに、上記目隠しボードは、左右にスライド自在とされたことを特徴とするキッチンキャビネットが提供される。このようにすることにより、上記目隠しボードを左右に移動して、例えば、シンクに放置された汚れた食器等を簡単に目隠しすることができる。
【０００６】
上記目隠しボードは、上記掛合手段を介してレール部材に支持されるとともに、取り外し自在とされることが好ましい。このようにすることにより、力を加えなくても、目隠しボードを軽く左右にスライドできるとともに、不要の場合は、簡単に取り外すことができる。
【０００７】
上記係止手段が、カウンター上に延設された突起部とすることが好ましい。このようにすることにより、上記突起部が目隠しボードの下端に当接し、しっかりと係止するとともに、水返し手段としても機能する。
【０００８】
上記目隠しボードがコルクボードからなることが好ましい。目隠し用には、不透明または半透明の材料を使用する必要があるが、中でも、コルクボードが好適に用いられる。このようにすることにより、カウンター上に放置された種々の見苦しいものを、人の目に触れないようにすることができる。
【０００９】
上記目隠しボードを複数とするとともに、各々の目隠しボードについて、レール部材と係止手段とが設けられることが好ましい。このようにすることによって、複数の目隠しボードで、吊り戸棚とフロアキャビネットの間の空間全体を目隠しすることができるとともに、複数の目隠しボードを重ね合わせることによって、所望の空間のみを目隠しすることも可能となる。
【００１０】
【発明の実施の形態】
以下、本発明の好ましい実施の形態について、図面を参照して、さらに詳細に説明する。図１は、本発明にかかるキッチンキャビネットを壁面Ｗに接して設置した状態を示す側断面図である。図１において、コルクボードから構成された目隠しボード１は、掛合手段２として、その裏面上部に２個の戸車を備え、上記戸車は、吊り戸棚６の下面手前側に吊設された状態で設けられたレール部材３に掛合されている。このようにして、目隠しボード１は、上記レール部材３に吊下げ支持され、左右にスライド可能であるとともに、着脱自在とされている。符号５は、レール部材３を吊り戸棚６の下面に吊設するための吊下げ手段である。
【００１１】
一方、フロアキャビネット７のカウンター上の手前側には、水返しを兼ねた突起部ような係止手段４が延設されており、上記レール部材３によって吊下げ支持された目隠しボード１の下端は、この突起部ような係止手段４に当接し、係止される。かくして、目隠しボード１を左右にスライド自在に設けることが可能となり、例えば、シンクに放置された汚れた食器等を目隠ししたい場合には、上記目隠しボードをシンクの前にスライドさせることにより、簡単に見えなくすることができる。図２は、上記のようにして、目隠ししたい場所に目隠しボード１をスライドさせた状態を示す正面図である。
【００１２】
また、本発明の他の実施形態として、目隠しボード１を複数枚とし、各目隠しボード１についてレール部材３を吊設し、係止手段４の一実施例である突起部を延設することにより、キッチンキャビネットのオープン部全体を目隠しすることができる。図３は、３枚の目隠しボード１を用い、吊り戸棚６とフロアキャビネット７の間の空間部全体を目隠しした状態を示す正面図である。なお、掛合手段２としては、レール部材３にスライド可能に掛合できるものであれば戸車に限られない。例えば、図４に示すフック構造の掛合手段も使用可能である。
【００１３】
【発明の効果】
以上述べたように、請求項１に記載の発明は、吊り戸棚６と、フロアキャビネット７と、目隠しボード１とからなり、該吊り戸棚６下面の手前側にはレール部材３が設けられ、上記目隠しボード１の裏面上部には、このレール部材３に掛合する掛合手段２が備えられ、上記フロアキャビネット７のカウンター手前側には、上記目隠しボード１の下端を係止する係止手段４が設けられるとともに、上記目隠しボード１は、左右にスライド自在とされたことを特徴とするキッチンキャビネットである。このようにすることにより、上記目隠しボード１を左右に移動して、例えば、シンクに放置された汚れた食器等を簡単に目隠しすることができる。
【００１４】
請求項２に記載の発明は、上記目隠しボード１が、上記掛合手段２を介してレール部材３に支持されるとともに、取り外し自在とされる。このようにすることにより、請求項１に記載の発明の効果に加えて、力を加えなくても、目隠しボード１を軽く左右にスライドできるとともに、不要の場合は、簡単に取り外すことができる。
【００１５】
請求項３に記載の発明は、上記係止手段４が、カウンター上に延設された突起部とされる。このようにすることにより、請求項１に記載の発明の効果に加えて、上記突起部が目隠しボード１の下端に当接し、しっかりと係止するとともに、水返し手段としても機能する。
【００１６】
請求項４に記載の発明は、上記目隠しボード１がコルクボードから構成される。目隠し用には、不透明または半透明の材料を使用する必要があるが、中でも、コルクボードが好適に用いられる。このようにすることにより、請求項１に記載の発明の効果に加えて、カウンター上に放置された種々の見苦しいものを、人の目に触れないようにすることができる。
【００１７】
請求項５に記載の発明は、上記目隠しボード１を複数とするとともに、各々の目隠しボード１について、レール部材３と係止手段４とが設けられる。このようにすることによって、請求項１に記載の発明の効果に加えて、複数の目隠しボード１で、吊り戸棚６とフロアキャビネット７の間の空間全体を目隠しすることができるとともに、複数の目隠しボード１を重ね合わせることによって、所望の空間のみを目隠しすることも可能となる。
【図面の簡単な説明】
【図１】戸車構造の掛止手段を用いた本発明にかかるキッチンキャビネットを示す側断面図である。
【図２】本発明にかかるキッチンキャビネットを示す正面図である。
【図３】３枚の目隠しボードを有する本発明にかかるキッチンキャビネットを示す正面図である。
【図４】フック構造の掛止手段を用いた本発明にかかるキッチンキャビネットを示す側断面図である。
【図５】従来のキッチンキャビネットを示す斜視図である。
【符号の説明】
１          目隠しボード
２          掛合手段
３          レール部材
４          係止手段
５          吊下げ手段
６          吊り戸棚
７          フロアキャビネット
Ｗ          壁面
【図１】
2004254715.tif 000003
【図２】
2004254715.tif 000004
【図３】
2004254715.tif 000005
【図４】
2004254715.tif 000006
【図５】
2004254715.tif 000007